(57)【要約】【課題】システムとして動作できないにも関わらず、システムを構成する一部の機器に電力が供給され続けることによる無駄な消費電力を削減すること。【解決手段】装置システム１００に含まれる負荷は、装置システム１００の構成情報を電力制御サーバ１０１に送る（Ｓ２１２）。装置システム１００の構成情報を受信した電力制御サーバ１０１は、装置システム１００に供給される少なくとも１の電力を遮断すべき事態が発生した場合（Ｓ２０３でＹｅｓ）、装置システム１００に含まれる負荷へ電力供給を遮断する通知を行った後（Ｓ２０３、Ｓ２０４）、装置システム１００に供給される各電力の遮断指示を、各負荷が接続される電力計１１２、１１３に送信する（Ｓ２０５）。通知を受信した負荷は、装置システム１００を構成する各負荷をシャットダウンさせる（Ｓ２２３、Ｓ２１４）。指示を受信した電力計１１２、１１３は負荷への電力供給を遮断する。【選択図】図２
2015119540.tif 000002
【特許請求の範囲】
【請求項１】
所定の関連性を有する複数の機器で構成され複数の電力が供給される機器システムと電力制御装置を含む電力制御システムであって、
前記電力制御装置は、前記機器システムに供給される少なくとも１の電力を遮断すべき事態が発生した場合、前記機器システムに供給される各電力をそれぞれ遮断する電力制御手段を有する、ことを特徴とする電力制御システム。
【請求項２】
前記電力制御手段は、前記機器システムに含まれる少なくとも１の機器へ、電力の供給を遮断する旨の通知を行った後に、前記機器システムに供給される各電力をそれぞれ遮断するものであり、
前記通知を前記機器システムに含まれるすくなくとも１の機器が受信すると、前記機器システムを構成する各機器は電力遮断可能な状態に移行する、ことを特徴とする請求項１に記載の電力制御システム。
【請求項３】
前記電力制御手段は、前記機器システムを構成する各機器が電力遮断可能な状態に移行した場合に、前記機器システムに供給される各電力をそれぞれ遮断する、ことを特徴とする請求項２に記載の電力制御システム。
【請求項４】
前記電力制御手段は、前記機器システムに含まれるすくなくとも１の機器から通知される時間が経過した場合に、前記機器システムを構成する各機器が電力遮断可能な状態に移行したと判断する、ことを特徴とする請求項３に記載の電力制御システム。
【請求項５】
前記電力制御手段は、前記機器システムを構成する各機器の消費電力を監視し、該消費電力が電力遮断可能な状態に移行した場合の消費電力となった場合に、前記機器システムを構成する各機器が電力遮断可能な状態に移行したと判断する、ことを特徴とする請求項３に記載の電力制御システム。
【請求項６】
前記電力制御手段は、前記事態が発生した場合、前記機器システムに電力を供給する各電力供給装置に対して、電力の供給を遮断する指示をそれぞれ送信するものであり、
前記各電力供給装置はそれぞれ、前記電力制御装置からの指示に応じて電力の供給を遮断する遮断手段を有する、ことを特徴とする請求項１乃至５のいずれか１項に記載の電力制御システム。
【請求項７】
前記機器システムに含まれる少なくとも１の機器は、該機器と共に前記機器システムを構成する各機器の情報を前記電力制御装置に送信する送信手段を有し、
前記電力制御装置は、前記少なくとも１の機器から、前記機器システムを構成する各機器の情報を受信する受信手段を有する、ことを特徴とする請求項１乃至６のいずれか１項に記載の電力制御システム。
【請求項８】
前記送信手段は、前記機器システムを構成する各機器にそれぞれ電力を供給する各電力供給装置の識別情報を、前記電力制御装置に送信するものであり、
前記受信手段は、前記機器システムに含まれる少なくとも１の機器から、前記機器システムを構成する各機器にそれぞれ電力を供給する各電力供給装置の識別情報を受信するものであり、
前記電力制御手段は、前記機器システムを構成する各機器にそれぞれ電力を供給する各電力供給装置の識別情報を用いて、電力供給の遮断を指示する電力供給装置を特定することを特徴とする請求項７に記載の電力制御システム。
【請求項９】
前記機器システムを構成する各機器は、自身に電力を供給する電力供給装置の識別情報を前記電力制御装置又は前記機器システムを構成する他の機器に送信することを特徴とする請求項８に記載の電力制御システム。
【請求項１０】
前記機器システムを構成する各機器は、自身に電力を供給する電力供給装置の識別情報を該電力供給装置から読み取る読取手段を有することを特徴とする請求項９に記載の電力制御システム。
【請求項１１】
前記各電力制御装置は、電力を供給する機器の識別情報を該機器から読み取って前記電力制御装置に送信するものであり、
前記受信手段は、前記各電力制御装置からそれぞれ、電力を供給する機器の識別情報を受信するものであり、
前記電力制御手段は、前記各電力制御装置からそれぞれ受信した、電力を供給する機器の識別情報を用いて、電力供給の遮断を指示する電力供給装置を特定することを特徴とする請求項７に記載の電力制御システム。
【請求項１２】
前記機器システムに供給される少なくとも１の電力を遮断すべき事態が発生した場合とは、前記機器システムに含まれる複数の機器のうち、供給される電力の電源系統が同じ機器の消費電力の和がしきい値を超えた場合であることを特徴とする請求項１乃至１１のいずれか１項に記載の電力制御システム。
【請求項１３】
前記電力制御手段は、前記機器システムを構成する各機器の消費電力を、前記各機器に電力をそれぞれ供給する各電力供給装置から取得する、ことを特徴とする請求項５又は１２に記載の電力制御システム。
【請求項１４】
前記機器システムは、画像形成装置、及び前記画像形成装置と連携して動作する装置を含むことを特徴とする請求項１乃至１３のいずれか１項に記載の電力制御システム。
【請求項１５】
前記画像形成装置と連携して動作する装置は、前記画像形成装置から出力される記録シートの後処理を行う後処理装置であることを特徴とする請求項１４に記載の電力制御システム。
【請求項１６】
前記画像形成装置と連携して動作する装置は、画像形成装置のプリントジョブを生成するプリントサーバであることを特徴とする請求項１４に記載の電力制御システム。
【請求項１７】
所定の関連性を有する複数の機器で構成され複数の電力が供給される機器システムに供給される少なくとも１の電力を遮断すべき事態が発生した場合、前記機器システムに供給される各電力をそれぞれ遮断する電力制御手段を有することを特徴とする電力制御装置。
【請求項１８】
前記電力制御手段は、前記機器システムに含まれる少なくとも１の機器へ、電力の供給を遮断する旨の通知を行った後に、前記機器システムに供給される各電力をそれぞれ遮断する、ことを特徴とする請求項１７に記載の電力制御装置。
【請求項１９】
前記電力制御手段は、前記機器システムを構成する各機器が電力遮断可能な状態に移行した場合に、前記機器システムに供給される各電力をそれぞれ遮断する、ことを特徴とする請求項１８に記載の電力制御装置。
【請求項２０】
前記電力制御手段は、前記機器システムに含まれるすくなくとも１の機器から通知される時間が経過した場合に、前記機器システムを構成する各機器が電力遮断可能な状態に移行したと判断する、ことを特徴とする請求項１９に記載の電力制御装置。
【請求項２１】
前記電力制御手段は、前記機器システムを構成する各機器の消費電力を監視し、該消費電力が電力遮断可能な状態に移行した場合の消費電力となった場合に、前記機器システムを構成する各機器が電力遮断可能な状態に移行したと判断する、ことを特徴とする請求項１９に記載の電力制御装置。
【請求項２２】
前記電力制御手段は、前記事態が発生した場合、前記各機器に電力をそれぞれ供給する各電力供給装置に対して、前記機器への電力の供給を遮断する指示をそれぞれ送信する、ことを特徴とする請求項１７乃至２１のいずれか１項に記載の電力制御装置。
【請求項２３】
前記電力制御装置は、前記機器システムに含まれる少なくとも１の機器から、前記機器システムを構成する各機器の情報を受信する受信手段を有する、ことを特徴とする請求項１７乃至２２のいずれか１項に記載の電力制御装置。
【請求項２４】
前記受信手段は、前記機器システムに含まれる少なくとも１の機器から、前記機器システムを構成する各機器にそれぞれ電力を供給する各電力供給装置の識別情報を受信するものであり、
前記電力制御手段は、前記機器システムを構成する各機器にそれぞれ電力を供給する各電力供給装置の識別情報を用いて、電力供給の遮断を指示する電力供給装置を特定することを特徴とする請求項２３に記載の電力制御装置。
【請求項２５】
前記受信手段は、前記各電力供給装置から読み取られた前記各電力供給装置の識別情報を受信することを特徴とする請求項２４に記載の電力制御装置。
【請求項２６】
前記受信手段は、前記各電力制御装置により前記各機器から読み取られた前記機器の識別情報を前記各電力制御装置から受信するものであり、
前記電力制御手段は、前記各電力制御装置からそれぞれ受信した、電力を供給する機器の識別情報を用いて、電力供給の遮断を指示する電力供給装置を特定することを特徴とする請求項２３に記載の電力制御装置。
【請求項２７】
前記機器システムに供給される少なくとも１の電力を遮断すべき事態が発生した場合とは、前記機器システムに含まれる複数の機器のうち、供給される電力の電源系統が同じ機器の消費電力の和がしきい値を超えた場合であることを特徴とする請求項１７乃至２６のいずれか１項に記載の電力制御装置。
【請求項２８】
前記電力制御手段は、前記機器システムを構成する各機器の消費電力を、前記各機器に電力をそれぞれ供給する各電力供給装置から取得する、ことを特徴とする請求項２１又は２７に記載の電力制御装置。
【請求項２９】
画像形成装置、及び、前記画像形成装置と連携して動作する１又は複数の装置で構成される画像形成システムであって、
前記画像形成システムを構成する装置の情報を通知する通知手段と、
前記画像形成システムに含まれる少なくとも１の装置が電力供給を遮断する旨の通知を受信した場合、前記画像形成システムを構成する各装置を電力遮断可能な状態に移行する移行手段と、
を有することを特徴とする画像形成システム。
【請求項３０】
前記画像形成システムを構成する各装置は、自身に電力を供給する電力供給装置の識別情報を該電力供給装置から読み取る読取手段を有し、
前記通知手段は、前記読取手段が読み取った前記画像形成システムを構成する各装置にそれぞれ電力を供給する各電力供給装置の識別情報を通知する、ことを特徴とする請求項２９に記載の画像形成システム。
【請求項３１】
所定の関連性を有する複数の機器で構成され複数の電力が供給される機器システムと電力制御装置を含む電力制御システムの制御方法であって、
前記電力制御装置の電力制御手段が、前記電力制御装置は、前記機器システムに供給される少なくとも１の電力を遮断すべき事態が発生した場合、前記機器システムに供給される各電力をそれぞれ遮断する電力制御ステップを有する、ことを特徴とする電力制御システムの制御方法。
【請求項３２】
電力制御装置の制御方法であって、
電力制御手段が、所定の関連性を有する複数の機器で構成され複数の電力が供給される機器システムに供給される少なくとも１の電力を遮断すべき事態が発生した場合、前記機器システムに供給される各電力をそれぞれ遮断する電力制御ステップを有することを特徴とする電力制御装置の制御方法。
【請求項３３】
画像形成装置、及び、前記画像形成装置と連携して動作する１又は複数の装置で構成される画像形成システムの制御方法であって、
通知手段が、前記画像形成システムを構成する装置の情報を通知する通知ステップと、
移行手段が、前記画像形成システムに含まれる少なくとも１の装置が電力供給を遮断する旨の通知を受信した場合、前記画像形成システムを構成する各装置を電力遮断可能な状態に移行する移行ステップと、
を有することを特徴とする画像形成システムの制御方法。
【請求項３４】
コンピュータを、請求項１７乃至２８のいずれか１項に記載された手段として機能させるためのプログラム。
【請求項３５】
コンピュータを、請求項２９乃至３０のいずれか１項に記載された手段として機能させるためのプログラム。
【発明の詳細な説明】
【技術分野】
【０００１】
本発明は、システムを構成する機器の電力制御に関する。
【背景技術】
【０００２】
従来から、一般家庭や工場、事業所の使用電力を測定する電力計が知られている。特許文献１に記載の電力制御システムでは、電力負荷ごとに電力計を設け、各電力負荷の使用電流に関するデータを作成し、電力制御サーバに伝送する。一方、電力制御サーバは、各電力量計から送出された各電力負荷の使用電流の総和を算出し、当該総和が契約電流を超過した場合は該当する検出装置を選択し、電力負荷への電力遮断を命ずるコマンドを送出する。その結果、使用電流が契約電流を超過した場合にブレーカーによる全負荷の電力遮断が行われることなく、電力負荷毎に電力の遮断が行われることが可能な電力制御システムが開示されている（特許文献１）。
【先行技術文献】
【特許文献】
【０００３】
【特許文献１】特開２００９−２８１８８５号公報
【発明の概要】
【発明が解決しようとする課題】
【０００４】
ここで、プリンタ、デジタル複写機、デジタル複合機、ファクシミリ装置等の印刷装置、および、ペーパーフィニッシャーなどのアクセサリ、または印刷画像データを生成するプリントサーバなどを含む印刷システムについて考察する。このような印刷システムでは、印刷装置、アクセサリ、プリントサーバなどの機器は、それぞれ別々の交流電源に接続されることが一般的である。また、このような印刷システムでは、印刷装置、アクセサリ、プリントサーバの全てが電力供給された時に印刷可能である。
【０００５】
しかしながら、上記印刷システムに、特許文献１の技術を適用すると、電源系統が異なる複数の装置のうちの一部の電源系統の装置への電力供給が遮断される。そのため、印刷システム全体が動作しないにも関わらず、のこりの装置に通電し続けるので、電力を無駄に消費してしまうという課題がある。
【０００６】
例えば、印刷装置への電力供給が遮断され、プリントサーバおよびアクセサリに電力が供給されている場合を説明する。この場合、プリントサーバで印刷画像データの生成は可能であるが、プリントサーバから印刷装置に印刷画像データを送信できない。また、印刷装置で紙などに印刷できないので、アクセサリに通紙されることが無い。そのため、プリントサーバおよびアクセサリで、無駄な電力を消費してしまう。
【０００７】
本発明は、上記の問題点を解決するためになされたものである。本発明の目的は、システムとして動作できないにも関わらず、システムを構成する一部の機器に電力が供給され続けることによる無駄な消費電力を削減する仕組みを提供することである。
【課題を解決するための手段】
【０００８】
本発明は、所定の関連性を有する複数の機器で構成され複数の電力が供給される機器システムと電力制御装置を含む電力制御システムであって、前記電力制御装置は、前記機器システムに供給される少なくとも１の電力を遮断すべき事態が発生した場合、前記機器システムに供給される各電力をそれぞれ遮断する電力制御手段を有する、ことを特徴とする。
【発明の効果】
【０００９】
本発明によれば、システムとして動作できないにも関わらず、システムを構成する一部の機器に電力が供給され続けることによる無駄な消費電力を削減することができる。
【図面の簡単な説明】
【００１０】
【図１】実施例１の電力制御システムを例示する図。
【図２】実施例１の電力制御システムの動作を例示するフローチャート。
【図３】実施例１の電源管理表を例示する図。
【図４】実施例２の電力制御システムを例示する図。
【図５】プリントシステムの構成を例示する図。
【図６】ＭＦＰコントローラ部の構成を例示する図。
【図７】アクセサリコントローラ部の構成を例示する図。
【図８】実施例２の電力制御システムの動作を例示するフローチャート。
【図９】実施例２の電源管理表を例示する図。
【図１０】電力計の構成を例示する図。
【図１１】電力計の別の構成を例示する図。
【図１２】電力制御サーバの構成を例示する図。
【発明を実施するための形態】
【００１１】
以下、本発明を実施するための形態について図面を用いて説明する。なお、以下の実施の形態は特許請求の範囲に係る発明を以下の実施形態のみに限定するものではない。また、実施の形態で説明されている特徴の組み合わせの全てが発明の解決手段に必須のものとは限らない。
【実施例１】
【００１２】
図１は、本発明の実施例１を示す電力制御システムの構成の一例を示す図である。
図１に示すように、実施例１の電力制御システムは、一例として、電力制御サーバ１０１、電力計１１１、電力計１１２、電力計１１３を有する。
【００１３】
１００は、１つ以上の装置（電力負荷）から構成され、複数のコンセント（配電線）から電力を供給される装置システム（機器システム）である。例えば、装置システム１００は、家電機器、情報機器、映像音響装置、ゲーム機、製造装置、金融機器、輸送用機器、防犯装置などである。以下、説明のため、装置システム１００は電力負荷１０２、電力負荷１０３から構成される場合を例に説明するが、３つ以上の電力負荷から構成されるものでもよい。
【００１４】
ここで、装置システム１００が家電機器、例えば空調システムの場合、電力負荷１０２が例えば空調室外機であり、電力負荷１０３が例えば空調室内機である。また、装置システム１００が例えば情報機器の場合、電力負荷１０２が例えばパーソナルコンピュータであり、電力負荷１０３が例えばディスプレイ装置またはネットワーク装置である。また、装置システム１００が例えば映像音響機器の場合、電力負荷１０２が例えば映像音響プレイヤーであり、電力負荷１０３が例えばディスプレイ装置またはアンプ装置である。また、装置システム１００が例えばゲーム機の場合、電力負荷１０２が例えばゲーム機本体であり、電力負荷１０３が例えばディスプレイ装置またはアンプ装置またはネットワーク装置である。
【００１５】
また、装置システム１００が例えば製造装置の場合、電力負荷１０２が例えば製造用ロボットであり、電力負荷１０３が例えばロボット制御装置である。また、装置システム１００が例えば現金預払機システムなどの金融機器の場合、電力負荷１０２が例えば現金預払機であり、電力負荷１０３が例えばネットワーク装置またはサーバである。また、装置システム１００が例えば自動改札機システムなどの輸送用機器の場合、電力負荷１０２が例えば自動改札機であり、電力負荷１０３が例えばネットワーク装置またはサーバである。また、装置システム１００が例えば監視カメラ又は赤外線ビームセンサ等の防犯システムの場合、電力負荷１０２が例えば監視カメラ又は赤外線ビームセンサ等の感知装置であり、電力負荷１０３が例えばディスプレイ装置、記憶装置又は通報装置である。
【００１６】
電力負荷１０２、電力負荷１０３は、それぞれ、配電線１５０、１４０から、電力計１１２、１１３を経由して、配電線１７２、１７３から電力供給される。ここで、電力負荷１０２、電力負荷１０３は所定の関連性を有するものであり、電力負荷１０２、電力負荷１０３のいずれかが通電されていない時には、装置システム１００の全部または一部の機能が動作しないものとする。つまり、装置システム１００の全部の機能を動作させるためには、装置システム１００の全ての電力負荷に通電する必要がある。
【００１７】
電力負荷１０２、電力負荷１０３は、それぞれ、通信線１２２、１２３を経由して、Ｅｔｈｅｒｎｅｔ（登録商標）などの通信線１２０と接続される。電力負荷１０２、電力負荷１０３は、それぞれ、通信線１２０を介して、電力負荷１０２、電力負荷１０３同士あるいは通信線１２０に接続された機器（例えば電力制御サーバ１０１）と通信可能である。
【００１８】
電力制御サーバ１０１は、電力計１１１、電力計１１２、電力計１１３から、電圧および電流、電力、または、電力量に関するデータを通信にて取得する。電力制御サーバ１０１と、電力計１１１、電力計１１２、電力計１１３との通信はそれぞれＥｔｈｅｒｎｅｔ（登録商標）などの通信線１６０を経由で行われる。電力制御サーバ１０１は、配電線１３０から電力計１１１経由で配電線１７１を介して電力供給される。なお、電力制御サーバ１０１の内部構成は別途後述する。
【００１９】
電力計１１１は、電力制御サーバ１０１の電力線１７１の電圧および電流、または、電力制御サーバ１０１が消費する電力または電力量に関するデータを、通信線１６１、１６０、１６９経由で、電力制御サーバ１０１に送信する。電力計１１１は、通信線１６９、１６０、１６１経由で電力制御サーバ１０１からの指示を受けて、電力制御サーバ１０１への電力供給を遮断（オフ）または接続（オン）するスイッチを持つ。電力制御サーバ１０１が動作する時、上記スイッチを接続（オン）する。
【００２０】
電力計１１２、１１３は、それぞれ電力負荷１０２、１０３の配電線１７２、１７３の電圧および電流、電力負荷１０２、１０３が消費する電力、または電力量に関するデータを通信線１６２、１６３経由で、電力制御サーバ１０１に送信する。電力計１１２、１１３は、それぞれ通信線１６２、１６３経由で電力制御サーバ１０１からの指示を受けて、電力負荷１０２、１０３への電力供給を遮断（オフ）または接続（オン）するスイッチを持つ。電力負荷１０２、１０３が動作する時、上記スイッチを接続（オン）する。なお、電力計１１１、１１２および１１３の詳細については、別途後述する。
【００２１】
配電線１３０、１４０、１５０は、それぞれ１００Ｖ交流電源などの配電線である。もちろん、本発明は、１００Ｖに限定するものではないことは言うまでもない。
【００２２】
通信線１２０と、電力制御サーバ１０１および電力負荷１０２、１０３はそれぞれ通信線１２１、１２２、１２３で接続されて、電力制御サーバ１０１、電力負荷１０２、１０３の間で通信可能である。なお、通信線１２０、１６０は、Ｅｔｈｅｒｎｅｔ（登録商標）に限定するものではなく、ＲＳ−２３２、ＰＬＣ（Power Line Communication）などの有線通信でもよい。さらに、通信線１２０、１６０は、無線ＬＡＮ（Local Area Network）、Ｂｌｕｅｔｏｏｔｈ（登録商標）、Ｚｉｇｂｅｅ（登録商標）、ＲＦＩＤ（Radio Frequency IDentification）、ワイヤレスＵＳＢ（Universal Serial Bus）などの無線通信でも構わない。
【００２３】
上記では、各電力計１台につき１台の電力負荷が接続されているが、この構成に限定するものではなく、各電力計１台に複数の電力負荷を接続しても構わない。電力計、電力負荷の個数は、上記の個数に限定するものではなく、複数の装置システム１００が接続されても構わない。
【００２４】
次に、図１２を用いて、電力制御サーバ１０１の構成を説明する。
図１２は、電力制御サーバ１０１の構成の一例を示すブロック図である。
図１２において、１２０１はＣＰＵであり、後述する制御処理ルーチンなどの各種プログラムを実行する。ＣＰＵ１２０１は、不揮発性メモリ１２０２や記憶装置１２０４にコンピュータ読み取り可能に記録されるプログラムを実行して機器を制御することで、本実施例に係る電力制御システム構成の検出部や通知部、電源制御部としての機能を果たす。
【００２５】
１２０２は、ＲＯＭ（Read Only Memory）などの不揮発性メモリである。不揮発性メモリ１２０２には、ＣＰＵ１２０１が動作するための起動プログラムや後述する制御処理ルーチンなどの各種プログラムなどが記憶されている。１２０３はＲＡＭ（Random Access Memory）などのメモリであり、ＣＰＵ１２０１が各種プログラムを実行する際のワークエリアや画像データの一時的な記憶場所である画像メモリなどとして用いられる。
【００２６】
１２０５及び１２０６はＮＩＣ（Network Interface Card）である。ＮＩＣ１２０５は、ＬＡＮ１２１に接続され、装置システム１００との通信など各種ネットワーク制御を行う。ＮＩＣ１２０６は、ＬＡＮ１６９に接続され、電力計１１１、１１２、１１３との通信など各種ネットワーク制御を行う。ここで、電力制御サーバ１０１は、ＮＩＣ１２０５、１２０６の２つのＮＩＣを持つとして説明したが、この構成に限定される必要はなく、少なくとも１つ以上のＮＩＣを持てばよい。
【００２７】
１２０４は、ハードディスクやＳＳＤ（Solid State Disk）などの記憶装置である。記憶装置１２０４には、ＣＰＵ１２０１が動作するための起動プログラムや後述する制御処理ルーチンなどの各種プログラムなどが記憶されている。
【００２８】
１２０７はＡＣ−ＤＣ電源であり、電力制御サーバ１０１の各部分に電源を供給するためのものである。１２２０は電源線であり、電力制御サーバ１０１の各部分に電源を供給するためのものである。１２３０はバスであり、電力制御サーバ１０１の各部分が通信するためのものである。ここで、電力負荷１０２および電力負荷１０３の構成も、図１２で説明した電力制御サーバ１０１の構成と同様のものでも構わない。
【００２９】
次に、図２を用いて、実施例１の装置システム１００及び電力制御サーバ１０１の動作を説明する。
図２は、実施例１の装置システム１００及び電力制御サーバ１０１の動作の一例を示すフローチャートである。
図２において、２００は、電力制御サーバ１０１内のＣＰＵ１２０１で実行される処理を例示するフローチャートである。フローチャート２００の処理を含むプログラムは、電力制御サーバ１０１内のメモリ１２０３、不揮発性メモリ１２０２または記憶装置１２０４に記憶される。また、２０１は、装置システム１００内の電力負荷１０２のＣＰＵ（不図示）で実行される処理を例示するフローチャートである。フローチャート２０１の処理を含むプログラムは、電力負荷１０２内のメモリ（不図示）に記憶される。また、２０２は、装置システム１００内の電力負荷１０３内のＣＰＵ（不図示）で実行される処理を例示するフローチャートである。フローチャート２０２の処理を含むプログラムは、電力負荷１０３内のメモリ（不図示）に記憶される。
【００３０】
まず、フローチャート２０２を用いて、電力負荷１０３の動作をステップごとに説明する。Ｓ２２１において、電力負荷１０３は、電力負荷１０３の電源制御構成の情報を、電力負荷１０２に送信する。なお、電力負荷１０３の電源制御構成の情報は、電力負荷１０３を識別する情報（以下、識別情報）と、電力負荷１０３が接続されたコンセント（配電線）の識別情報を含む。ここでは、電力負荷１０３の識別情報及びコンセント（配電線）の識別情報を、例えば、ＩＰ（Internet Protocol）アドレスとして説明する。なお、電力負荷１０３の識別情報及びコンセント（配電線）の識別情報は、ＩＰアドレスに限定するものではない。例えば、ＭＡＣ（Media Access Contorol）アドレス、ＲＦＩＤなど、識別のための情報であればどのような情報であっても構わない。さらに、予め、電力負荷１０３が接続されるコンセント（配電線）が決められている場合、電力負荷が接続されたコンセント（配電線）の識別情報を送信しなくても構わない。また、説明のため、電力負荷１０３の情報を電力負荷１０２に送信するとするが、これに限定される必要はなく、電力負荷１０３の識別情報を電力制御サーバ１０１に送信しても構わない。
【００３１】
次に、Ｓ２２２において、電力負荷１０３は、電力遮断の準備（図２ではシャットダウンと記してある）の指示の受信を待つ。例えば、電力負荷１０３は、電力制御サーバ１０１から電力遮断の準備の指示を示す信号またはコマンドの受信を待つ。ここでは、説明のため、電力制御サーバ１０１から電力遮断の準備の指示を受信するとして説明したが、これに限定されるものではなく、電力負荷１０２から電力遮断の準備の指示を受信しても構わない。
電力負荷１０３は、電力遮断の準備の指示を受信したと判定した場合（Ｓ２２２でＹｅｓの場合）、Ｓ２２３に処理を移行する。
【００３２】
Ｓ２２３において、電力負荷１０３は、電力負荷１０３の電力遮断の準備（図２ではシャットダウン処理と記してある）を実行する。電力遮断を準備するとは、電力負荷を電力遮断可能な状態に移行することを示す。例えば、電力負荷１０３がローカルに持つ情報を電力負荷１０２やクラウドサーバなど他の機器に送信して情報を同期する。あるいは、電力負荷１０３がＤＲＡＭなどの揮発性メモリに記憶している情報を、ハードディスクやフラッシュＲＯＭなどの不揮発性の記憶装置に書き込む、または、ネットワーク装置に送信する。また、ここで、電力負荷１０３がローカル情報や揮発性の情報を持たない場合、特に何もしなくても構わない。また、電力負荷１０３が電力負荷１０３の電源を遮断する機構を持つ場合、電力負荷１０３の電源を遮断しても構わない。また、ここで、電力負荷１０３がメカニカルな機構を持つ場合、メカニカル機構の動作を中断して、メカニカル機構が安定するポジションに移動する。また、ここで、電力負荷１０３がヒータや燃焼などのエネルギー機構を持つ場合、エネルギー供給を遮断し、エネルギー機構が故障あるいは破壊しないよう冷却する。
【００３３】
次に、フローチャート２０１を用いて、電力負荷１０２の動作をステップごとに説明する。Ｓ２１１において、電力負荷１０２は、装置システム１００を構成する他の電力負荷の電源制御構成の情報を受信する。例えば、図１の構成の場合、他の電力負荷とは、電力負荷１０３であるが、他の電力負荷が複数でも構わない。電力負荷１０３の電源制御構成の情報については、上記Ｓ２２１で説明済なので詳細説明を省略する。
【００３４】
次に、Ｓ２１２において、電力負荷１０２は、上記Ｓ２１１で受信した電力負荷１０３の電源制御構成の情報と、電力負荷１０２の電源制御構成の情報を含む、装置システム１００の電源制御構成の情報を、電力制御サーバ１０１に送信する。なお、電力負荷１０２の電源制御構成の情報は、電力負荷１０２の識別情報と、電力負荷１０２が接続されたコンセント（配電線）の識別情報を含む。なお、電力負荷１０２の識別情報、及び電力負荷１０２が接続されたコンセント（配電線）の識別情報については、上記Ｓ２２１で説明した、電力負荷１０３の識別情報、及び電力負荷１０３が接続されたコンセント（配電線）の識別情報と同様なので、説明を省略する。また、装置システム１００の電源制御構成の情報は、装置システム１００を構成する電力負荷の電力遮断の組み合わせ、順序、時間差の情報も含む。ここでは、説明のため、電力負荷１０２、電力負荷１０３を一緒に電力遮断するものとして、以下説明する。さらに、装置システム１００の電源制御構成の情報は、電力負荷１０２または１０３のどちらかの電力供給を遮断すると、装置システム１００として動作しなくなることを示す情報も含まれるものとする。
【００３５】
次に、Ｓ２１３において、電力負荷１０２は、電力遮断の準備（シャットダウン）の指示の受信を待つ。例えば、電力制御サーバ１０１から電力遮断の準備の指示を示す信号またはコマンドの受信を待つ。Ｓ２１３はＳ２２２と同様なので、詳細の説明を省略する。
電力負荷１０２は、電力遮断の準備の指示を受信したと判定した場合（Ｓ２１３でＹｅｓの場合）、Ｓ２１４に処理を移行する。
【００３６】
Ｓ２１４において、電力負荷１０２は、電力負荷１０２の電力遮断の準備（シャットダウン処理）を実行する。Ｓ２１４はＳ２２３と同様なので詳細説明を省略する。ここで、説明のため、電力負荷１０２の電力遮断を準備するとして説明したが、Ｓ２１４で電力遮断の準備の指示を受信したら、装置システム１００を構成する他の電力負荷、例えば、電力負荷１０３に電力遮断の準備を指示しても構わない。
【００３７】
次に、フローチャート２００を用いて、図１の構成例における電力制御サーバ１０１の動作をステップごとに説明する。Ｓ２０１において、電力制御サーバ１０１は、上述した装置システム１００の電源制御構成の情報を受信する（本実施例では電力負荷１０２から受信する）。なお、予め、各電力負荷が接続されるコンセント（配電線）が決められている場合、電力負荷の機器名と、コンセントを識別するための情報と、コンセントに対応する電力計の識別情報の対応付けが、予め、電力制御サーバ１０１に登録されているものとする。なお、電力計の識別情報も、他の識別情報と同様に、例えば、電力計のＩＰアドレス、ＭＡＣアドレス等とする。電力制御サーバ１０１は、上記受信した装置システム１００の電源制御構成の情報を基に、電力負荷１０２、１０３それぞれが接続されたそれぞれの電力計の識別情報を管理する電源管理表（例えば図３に示すような）を作成する。この電源管理表では、電力負荷１０２、１０３等の機器名をキーに、電力負荷それぞれの機器固有の情報（ＩＰアドレス、ＭＡＣアドレスなど）と、電力負荷が接続されるコンセント（配電線）の名前、それぞれの電力計の識別情報、電源系統などを対応付ける。また、上述の電源管理表では、電力制御サーバ１０１自身が接続されるコンセント（配電線）の名前、電力計の識別情報、電源系統なども管理するものとする。なお、電源管理表の詳細について、別途後述する。
【００３８】
なお、ここでは説明のため、装置システム１００を構成する電力負荷の構成を電力負荷１０２から受信するとして説明した。しかし、これに限定する必要はなく、電力負荷１０２および１０３の電源制御構成を電力負荷１０３から受信しても、電力負荷１０２、１０３それぞれから受信しても構わない。また、ここで、予め、電力負荷が接続されるコンセント（配電線）が決められている場合、電力負荷が接続されたコンセント（配電線）を識別する情報を受信しなくても構わない。
【００３９】
次に、Ｓ２０２において、電力制御サーバ１０１は、上述の電源管理表を元に、電力制御サーバ１０１、電力負荷１０２、１０３がそれぞれ接続される電源系統（本実施例では配電線１３０、１４０、１５０）のそれぞれの電力が逼迫しているかを判断する。まず、電力制御サーバ１０１は、電力制御サーバ１０１、電力負荷１０２、１０３が接続されるコンセントの電力計１１１、１１２、１１３から消費電力の情報を受信し、電源系統（ここでは配電線１３０、１４０、１５０）ごとの消費電力を求める。例えば、１つの電源系統に複数の電力計を接続する場合、それぞれの電力計が計測した消費電力の総和をその電源系統の消費電力とする。もちろん、電源系統（配電線１３０、１４０、１５０）それぞれに電力計を設け、電源系統それぞれの消費電力を求めても構わない。次に、電力制御サーバ１０１は、電源系統（配電線１３０、１４０、１５０）それぞれに予め設定された消費電力の上限のしきい値と、電源系統（配電線１３０、１４０、１５０）それぞれの消費電力を比較する。そして、電源系統（配電線１３０、１４０、１５０）のいずれの消費電力もそのしきい値を上回らない場合、電力制御サーバ１０１は、電力が逼迫していないと判断する。電力が逼迫していないと判断した場合（Ｓ２０２でＮｏの場合）、電力制御サーバ１０１は、Ｓ２０２の判断を繰り返す。
【００４０】
一方、電源系統（配電線１３０、１４０、１５０）のいずれかの消費電力がそのしきい値を上回る場合、電力制御サーバ１０１は、電力が逼迫していると判断する。電力が逼迫していると判断した場合（Ｓ２０２でＹｅｓの場合）、電力制御サーバ１０１は、Ｓ２０３に処理を移行する。
【００４１】
Ｓ２０３において、電力制御サーバ１０１は、電力が逼迫している電源系統に接続されている装置システム１００に電力遮断の準備（図２ではシャットダウンと記してある）を指示する。例えば、配電線１５０の電力が逼迫している場合、上述の電源管理表（例えば図３）を参照して、配電線１５０に接続されている電力負荷１０２に電力遮断の準備を指示する。さらに、電源管理表を参照して、電力負荷１０２と共に装置システム１００を構成する電力負荷１０３に電力遮断の準備を指示する。ここで、説明のため、電力負荷１０２の電力遮断の準備の指示と、電力負荷１０３の電力遮断の準備の指示が順番に行われるように説明したが、これに限定する必要はなく、例えば。電力負荷１０２、電力負荷１０３の電力遮断の準備の指示を同時に行っても構わない。または、電力負荷１０３の電力遮断の準備の指示、電力負荷１０２の電力遮断の準備の指示の順番で行っても構わない。また、電力遮断の準備の指示の代わりに、供給電力を遮断する旨の通知を行ってもよい。
【００４２】
次に、Ｓ２０４において、電力制御サーバ１０１は、電力が逼迫している配電線に接続されている機器の電力遮断の準備（シャットダウン）の完了を待つ。例えば、電力負荷１０２や電力負荷１０３が、情報機器などの電力遮断の準備に時間がかかる機器の場合、電力遮断の準備の完了を待つ。ここで、比較的短時間に電力遮断の準備が完了する機器の場合、装置システム１００の電力遮断の準備を待たなくても構わない。電力遮断の準備の完了を待つかどうか、上述の電源管理表（後述する図３の３０７）を参照して判断しても構わない。なお、電力が逼迫している配電線に接続されている機器がシャットダウンしたかどうかの判断は、該機器が接続されている出力計と通信して該機器の消費電力を監視し、該機器の消費電力が所定値（シャットダウン後の消費電力値）になったことで判断してもよい。なお、各機器のシャットダウン後の消費電力値は、予め電力制御サーバ１０１に登録されていてもよいし、上記Ｓ２０１で取得してもよい。また、上記Ｓ２０１で取得した情報に、機器がシャットダウンを完了するまでにかかる時間等が含まれている場合には、該時間の経過により機器がシャットダウンしたと判断してもよい。なお、各機器がシャットダウンを完了するまでにかかる時間が予め電力制御サーバ１０１に登録されていてもよい。
【００４３】
電力制御サーバ１０１は、まだ、電力が逼迫している配電線に接続されている装置システム１００の電力遮断の準備が完了していないと判断した場合（Ｓ２０４でＮｏの場合）、Ｓ２０４の判断を繰り返す。一方、電力制御サーバ１０１は、電力が逼迫している配電線に接続されている装置システム１００の電力遮断の準備が完了したと判断した場合（Ｓ２０４でＹｅｓの場合）、Ｓ２０５に処理を移行する。
【００４４】
Ｓ２０５において、電力制御サーバ１０１は、電力が逼迫している配電線に接続されている装置システム１００が接続された電力計に指示して、電力供給を遮断する（図２ではコンセントのブレーカーをＯＦＦと記してある）。例えば、上述の電源管理表に記載された電力計１１２、１１３のＩＰアドレスまたはＭＡＣアドレスに対して、電力供給を遮断するコマンドを発行して、電力計１１２、１１３に接続されたそれぞれの配電線１７２、１７３に電力供給しないよう指示をする。この指示を受信した電力計１１２、１１３は、後述するスイッチ１００３（図１０、図１１）をオフして、機器への電力供給を遮断する。
以上のように、本実施例では、図１に示したシステムの電源を管理する。
【００４５】
次に、図３を用いて、実施例１の電力制御システムの電源管理表について説明する。
図３は、図１の装置システム１００が接続される配電線、装置システム１００の通信先、装置システム１００を構成する機器で共に電源を遮断するものの関連性などを示す電源管理表の一例を示す図である。
【００４６】
電源管理表は、電力制御サーバ１０１内のメモリ１２０３または記憶装置１２０４に記憶される。また、図３の電源管理表は、電力制御サーバ１０１内のＣＰＵ１２０１で実行する図２のＳ２０１で作成され、Ｓ２０２、Ｓ２０３、Ｓ２０４、Ｓ２０５で参照される。図３では説明のため、人間が認識し易い形式（文字列）で記載しているが、バイナリ値、英数字など、電力制御サーバ１０１による管理が容易なデータ形式でも構わない。
【００４７】
図３において、３０１は、電力負荷１０２、１０３などの機器名を示すデータ列である。機器名３０１は、図２のＳ２０１で記載されるか、予め記載してあってもよい。３０２は、それぞれの機器名３０１の機器が接続されている電源系統（配電線）を示すデータ列である。
【００４８】
３０３は、それぞれの機器名３０１の機器が接続されているコンセントおよび電力計を特定するためのコンセントＩＤを示すデータ列である。コンセントおよび電力計を特定するため、コンセントＩＤ３０３はコンセント毎に異なる情報を付加する。例えば、コンセントＩＤ３０３は電力計のＭＡＣアドレスまたはＩＰアドレスでもよい。コンセントＩＤ３０３は図２のＳ２０１で記載されるか、予め記載してあってもよい。例えば、それぞれの機器名３０１の機器を正しいコンセントに接続するために、コンセントＩＤ３０３は、人間に分かり易い形式（文字列）を例に示している。例えば、３１０行３０３列のコンセントＩＤ３０３の「１Ｆ＿ｒｏｏｍＡ＿５０４」は、建物１階のＡ室の５０４番目のコンセントを示す。
【００４９】
３０４は、機器名３０１の機器のそれぞれが接続された電力計の通信先を示すデータ列である。電力計の通信先３０４の情報を用いて、電力制御サーバ１０１とそれぞれの電力計が通信する。説明のため、電力計の通信先３０４に電力計のＩＰアドレスを記載しているが、電力計のＭＡＣアドレスなど、電力計と通信可能な情報であれば、何でも構わない。電力計の通信先３０４は、図２のＳ２０１で記載されるか、予め記載してあってもよく、Ｓ２０２で参照される。
【００５０】
３０５は、機器３０１の機器それぞれの通信先を示すデータ列である。機器の通信先３０５の情報を用いて、電力制御サーバ１０１とそれぞれの機器３０１の機器が通信する。説明のため、機器の通信先３０５に機器名３０１の機器のＩＰアドレスを記載しているが、機器名３０１の機器のＭＡＣアドレスなど、機器名３０１の機器と通信可能な情報であれば、何でも構わない。機器の通信先３０５は、図２のＳ２０１で記載される。
【００５１】
３０６は、機器名３０１の機器と共に装置システムを構成する機器を示すデータ列であり、機器名３０１の機器と共に装置システムを構成する機器の個数分記載される。ここで、説明のため、機器名３０１の機器のＩＰアドレスを記載しているが、機器名３０１の機器のＭＡＣアドレスなど、機器名３０１の機器と通信可能な情報であれば、何でも構わない。装置システムを構成する機器の通信先３０６は、図２のＳ２０１で記載され、Ｓ２０３、Ｓ２０４、Ｓ２０５で参照される。ここでは説明のため、３０６に最大１つしか記載していないが、複数の情報を記載しても構わない。例えば、共に装置システムを構成する機器が２つ以上ある場合には２つ以上のＩＰアドレスが３０６に記載されることになる。
【００５２】
３０７は、機器名３０１の機器が接続されるコンセントの電力計に電力供給の遮断（コンセントのブレーカＯＦＦ）を指示する場合に、機器名３０１の機器のシャットダウン終了を待つかどうかを示す情報である。３１０は、電力負荷１０２に関する情報を記載したデータ行である。
【００５３】
以上示したように、図１の構成のシステムにおいて、図２のフローチャートに示した処理により電源を管理し、その際、図３の電源管理表を用いることで、複数のコンセントを持つ装置システム１００の電力供給を全て遮断することができる。この結果、装置システム１００が動作しないにも関わらず、装置システム１００を構成する電力負荷に通電し続けてしまうことが無く、消費電力を無駄に消費することのない電力制御システムを構築することがきる。
【実施例２】
【００５４】
以下、実施例２について図面を用いて説明する。
図４は、本発明の実施例２を示す電力制御システムの構成の一例を示す図である。
図４に示す電力制御システムは、一例として、電力制御サーバ１０１、装置システム１００ａ、装置システム１００ｂ、電力計１１１、電力計１１４、電力計１１５、電力計１１６、電力計１１７を有する。電力制御サーバ１０１、電力計１１１、通信線１２０、１６０、配電線１３０、１４０、１５０等は、実施例１（図１）と同様なので詳細説明を省略する。
【００５５】
装置システム１００ａおよび１００ｂは、それぞれ複数のコンセント（配電線）を持つ装置システムである。１００ａはプリンタシステム（画像形成システム）であり、後述のＭＦＰ（Multi Function Printer）５００、後述のアクセサリ５５０などで構成される。１００ｂはコンピュータシステムであり、後述のＰＣ（Personal Computer）１０４、後述のディスプレイ１０５などで構成される。
【００５６】
ここで、プリンタシステム１００ａのＭＦＰ５００、アクセサリ５５０について説明する。ＭＦＰ５００は、コピー、プリンタ、スキャナなどの機能が統合されたデバイスであり、配電線１７６から電力供給される。ＭＦＰ５００は、通信線１２６を介して、通信線１２０に接続され、電力制御サーバ１０１、コンピュータ１０４等と通信可能である。アクセサリ５５０は、ＭＦＰ５００と連携して動作するものであり、ＭＦＰ５００が印刷した紙（記録シート）に対して、より分け（ソート）、ステープル、穴あけ、折り、裁断などの加工（後処理）をするデバイスである。アクセサリ５５０は、配電線１７７から電力供給される。アクセサリ５５０は、ＭＦＰ５００と通信可能である。なお、ＭＦＰ５００、アクセサリ５５０の構成の詳細は後述する。
【００５７】
次に、コンピュータシステム１００ｂのＰＣ１０４、ディスプレイ１０５について説明する。コンピュータ１０４は、ユーザが使用するＰＣであり、配電線１７４から電力供給される。コンピュータ１０４は、通信線１２４を介して、通信線１２０に接続され、電力制御サーバ１０１、ＭＦＰ５００等と通信可能である。ディスプレイ１０５は、コンピュータ１０４の情報を表示する装置であり、配電線１７５から電力供給される。ディスプレイ１０５は、例えば、ＣＲＴ、液晶、プラズマ、ＬＥＤなどの表示装置である。ディスプレイ１０５は、ＰＣ１０４と通信可能である。
【００５８】
１１４、１１５、１１６、１１７は、それぞれコンピュータ１０４、ディスプレイ１０５、ＭＦＰ５００、アクセサリ５５０に供給される電力を計測する電力計であり、実施例１の電力計１１２、電力計１１３と同様なので詳細説明を省略する。
【００５９】
通信線１２６、通信線１２４は、例えば、Ｅｔｈｅｒｎｅｔ（登録商標）として以下説明するが、これに限定されるものではなく、ＲＳ−２３２、ＰＬＣ（Power Line Communication）などの有線通信でもよい。さらに、通信線１２０、１６０は、無線ＬＡＮ（Local Area Network）、Ｂｌｕｅｔｏｏｔｈ（登録商標）、Ｚｉｇｂｅｅ（登録商標）、ＲＦＩＤ（Radio Frequency IDentification）などの無線通信でも構わない。
【００６０】
実施例１の装置システム１００と同様、プリンタシステム１００ａおよびコンピュータシステム１００ｂは、コンセント（配電線）のいずれかが通電されていない時に、全部または一部の機能が動作しない。例えば、プリンタシステム１００ａはコンセント（配電線）のいずれかが通電されていない時に印刷できない。つまり、ＭＦＰ５００の配電線１７６が通電されていない場合、紙などの印刷メディアへの印刷ができない。アクセサリ５５０の配電線１７６が通電されていない場合、ＭＦＰ５００で印刷した印刷メディアを排紙できない。また、コンピュータシステム１００ｂはコンセント（配電線）のいずれかが通電されていない時に、画面表示などができないなど、一部機能が動作しない。コンピュータシステム１００ｂの画面表示ができない時、ユーザが直接操作できない。実施例２の電力制御システムにおいて、プリンタシステム１００ａ、コンピュータシステム１００ｂは、同様の電力制御であるため、プリンタシステム１００ａを主に以下説明する。
【００６１】
図５は、ＭＦＰ５００、アクセサリ５５０の構成の一例を説明するための図である。
まず、ＭＦＰ５００の構成を説明する。５０３はスキャナ部であり、ユーザにより置かれた原稿を読み取り画像データを生成する画像読取部である。スキャナ部５０３は、例えば、ハロゲンランプから構成される原稿照明ランプにより、原稿台ガラスに載置された原稿を露光し、原稿からの反射光をＣＣＤセンサにて受光し、画像信号として出力する。５０４はプリンタ部であり、例えば画像データに基づいて感光体を露光して静電潜像を形成し、該形成された静電潜像を現像剤（トナー）により現像し、記録用紙に転写して画像を印刷する画像形成部である。プリンタ部５０４は、アクセサリ５５０との通信Ｉ／Ｆを持ち、アクセサリ５５０とアクセサリ通信線５２０で接続されている。なお、スキャナ部５０３及びプリンタ部５０４は、公知のプリンタやスキャナの一般的な構成や機能を備えていればよいので、詳細な説明を省略する。
【００６２】
５０２は操作部であり、例えば、ＭＦＰの情報を液晶表示装置の画面に表示し、また、ユーザの操作を検出するキースイッチ、タッチパネルなどのセンサを持つユーザインタフェース（ＵＩ）である。５０１はＭＦＰコントローラ部であり、スキャナ部５０３、プリンタ部５０４、操作部５０２、ＬＡＮなどの外部Ｉ／Ｆと接続され、画像情報やデバイス情報を制御するコントローラ部である。５０５はＭＦＰのＡＣ／ＤＣ電源（Alternating Current-Direct Current）であり、配電線１７６から供給される交流を、ＭＦＰ内部で使用する直流に変換する。ＡＣ／ＤＣ電源５０５は、公知の一般的な構成や機能を備えていればよいので、詳細な説明を省略する。５１０はコンセント検出通信線で、ＭＦＰ５００の差込プラグが挿されたコンセントを検出するための通信線である。なお、コンセント検出通信線５１０の詳細は後述する。
【００６３】
５２０はアクセサリ通信線である。ＭＦＰ５００及びアクセサリ５５０は、アクセサリ通信線５２０を用いて、ＭＦＰ５００からアクセサリ５５０の動作指示、および、アクセサリ５５０からＭＦＰ５００へエラーやステープル針残量などのステータス通知などの通信をする。アクセサリ通信線５２０は、公知の一般的な構成や機能を備えていればよいので、詳細な説明を省略する。また、上述したように、ＭＦＰ５００は、通信線１２６を用いて、電力制御サーバ１０１、コンピュータ１０４等と通信する。通信線１２６は、説明済なので、詳細な説明を省略する。
【００６４】
続いて、アクセサリ５５０の構成を説明する。５５３は紙搬送部であり、紙を搬送するためのモータ、ローラや、搬送経路を切り替える機械機構である。紙搬送部５５３は、ＭＦＰ５００が印刷した紙を給紙し、アクセサリ５５０内を搬送した後、アクセサリ５５０外へ排紙する。５５４は紙加工部であり、ＭＦＰ５００からの指示に応じて、ＭＦＰ５００により印刷された紙を、より分け（ソート）、ステープル、穴あけ、折り、裁断など、加工する。なお、紙搬送部５５３及び紙加工部５５４は、公知の紙搬送部、紙加工部の一般的な構成や機能を備えていればよいので、詳細な説明は省略する。
【００６５】
５５１は、アクセサリコントローラ部であり、紙搬送部５５３、紙加工部５５４を制御、ＭＦＰと接続され、画像情報やデバイス情報を制御する。アクセサリコントローラ部５５１は、ＭＦＰ５００との通信Ｉ／Ｆを持ち、ＭＦＰ５００とアクセサリ通信線５２０で接続されている。
【００６６】
５５５はＡＣ／ＤＣ電源であり、公知の一般的な構成や機能を備えていればよいので、詳細な説明を省略する。５６０は、アクセサリ５５０の差込プラグが挿されたコンセントを検出するための通信線である。このコンセント検出通信線の詳細を後述する。
【００６７】
次に、図６を用いて、ＭＦＰコントローラ部５０１の構成を説明する。
図６は、ＭＦＰコントローラ部５０１の構成を説明するための図である。
図６において、６０１はＣＰＵであり、後述する制御処理ルーチンなどの各種プログラムを実行する。また、ＣＰＵ６０１は、プログラムを実行して機器を制御することにより、本実施例のプリンタシステム構成の検出部や通知部、プリンタシステムの電源制御部としての機能を果たすこともできる。
【００６８】
６０２はＲＯＭ、ハードディスクなどの不揮発性メモリである。不揮発性メモリ６０２には、ＣＰＵ６０１が動作するための起動プログラムや後述する制御処理ルーチンなどの各種プログラムなどが記憶されている。６０３はＲＡＭなどのメモリであり、ＣＰＵ６０１が各種プログラムを実行する際のワークエリアや画像データの一時的な記憶場所である画像メモリなどとして用いられる。
【００６９】
６０５はネットワークＩ／Ｆ部（以下、ＮＩＣ）であり、ＬＡＮに接続され、電子メールの送受信やホストからのＰＤＬデータの入出力など各種ネットワーク制御を行う。６０６は操作部Ｉ／Ｆであり、前述の操作部５０２と通信するためのインタフェース（Ｉ／Ｆ）である。６０７はプリンタＩ／Ｆであり、プリンタ部５０４を接続するためのＩ／Ｆである。プリンタＩ／Ｆ６０７は、例えば、プリント出力用画像データに対し、プリンタの補正、解像度変換など、プリンタ用の画像処理を行い、プリンタ部５０４に、印刷データを転送する。６０８はスキャナＩ／Ｆであり、スキャナを接続するためのＩ／Ｆである。スキャナＩ／Ｆ６０８は、例えば、スキャナ部５０３からの入力データに対し、補正、加工、編集などスキャナ用の画像処理を行う。
【００７０】
６０９はコンセント検出部であり、ＭＦＰ５００の差込プラグが挿されたコンセントを検出する。例えば、コンセント検出部６０９は、電力計１１６のコンセントに設けられたＲＦＩＤを読むことで、ＭＦＰ５００の差込プラグが挿されたコンセントを検出する。なお、ＲＦＩＤを読む部分は、一般的な構成や機能を備えていればよいので、詳細な説明は省略する。
【００７１】
６２０は電源線であり、ＭＦＰコントローラ部５０１の各部分に電源を供給するためのものである。６３０はバスであり、ＭＦＰコントローラ部５０１の各部分が通信するためのものである。
【００７２】
次に、図７を用いて、アクセサリコントローラ部５５１の構成を説明する。
図７は、アクセサリコントローラ部５５１の構成を説明するための図である。
図７において、７０１はＣＰＵであり、後述する制御処理ルーチンなどの各種プログラムを実行する。また、ＣＰＵ７０１は、プログラムを実行して機器を制御することにより、本実施例のアクセサリ構成の通知部としての機能を果たすこともできる。
【００７３】
７０２は、ＲＯＭなどの不揮発性メモリである。不揮発性メモリ７０２には、ＣＰＵ７０１が動作するための起動プログラムや後述する制御処理ルーチンなどの各種プログラムなどが記憶されている。７０３はＲＡＭなどのメモリであり、ＣＰＵ７０１が各種プログラムを実行する際のワークエリアとして用いられる。
【００７４】
７０５はプリンタＩ／Ｆ部であり、ＭＦＰのプリンタ部５０４と接続するためのＩ／Ｆであり、ＭＦＰ５００との通信の制御を行う。７０６は紙加工部Ｉ／Ｆであり、前述の紙加工部５５４と通信するためのＩ／Ｆである。７０７は紙搬送部Ｉ／Ｆであり、前述の紙搬送部５５３と通信するためのＩ／Ｆである。
【００７５】
７０９はコンセント検出部であり、アクセサリ５５０の差込プラグが挿されたコンセントを検出する。例えば、コンセント検出部７０９は、電力計１１７のコンセントに設けられたＲＦＩＤを読むことで、アクセサリ５５０の差込プラグが挿されたコンセントを検出する。ＲＦＩＤを読む部分は、一般的な構成や機能を備えていればよいので、詳細な説明は省略する。
【００７６】
７２０は、アクセサリコントローラ部５５１の各部分に電源を供給するための電源線である。７３０は、アクセサリコントローラ部５５１の各部分が通信するためのバスである。
【００７７】
次に、図８を用いて、実施例２のプリンタシステム１００ａ及び電力制御サーバ１０１の動作を説明する。
図８は、実施例２のプリンタシステム１００ａ及び電力制御サーバ１０１の動作の一例を示すフローチャートである。
図８において、８００は電力制御サーバ１０１内のＣＰＵ１２０１で実行されるフローチャートである。フローチャート８００を含むプログラムは、電力制御サーバ１０１内のメモリ１２０３、不揮発性メモリ１２０２または記憶装置１２０４に記憶される。また、８０１は、ＭＦＰ５００のＣＰＵ６０１で実行されるフローチャートである。フローチャート８０１を含むプログラムは、ＭＦＰ５００の不揮発性メモリ６０２またはメモリ６０３に記憶される。また、８０２は、アクセサリ５５０内のＣＰＵ７０１で実行されるフローチャートである。フローチャート８０２を含むプログラムがアクセサリ５５０の不揮発性メモリ７０２またはメモリ７０３に記憶される。
【００７８】
まず、フローチャート８０２を用いて、アクセサリ５５０の動作をステップごとに説明する。Ｓ８２１において、アクセサリ５５０は、アクセサリ５５０の差込プラグが挿されたコンセントを検出する。例えば、アクセサリ５５０のコンセント検出部７０９で、電力計１１７に設けられたＲＦＩＤを読むことで、アクセサリ５５０の差込プラグが挿されたコンセントのＩＤを検出する。
【００７９】
次に、Ｓ８２２において、アクセサリ５５０は、上記Ｓ８２１で検知した、アクセサリ５５０の差込プラグが挿されたコンセントのＩＤを、通信線５２０経由でＭＦＰ５００に通知する。ここでコンセントのＩＤとは、後述の図９の９０３のように、コンセントを特定するためのコンセント固有のＩＤである。ここでは、コンセントのＩＤを、人間が認識し易い形式（文字列）として説明するが、バイナリ値、英数字など、電力制御サーバ１０１が管理しやすいデータ形式でも構わない。例えば、コンセントＩＤ９０３（図９）は、電力計のＭＡＣアドレスまたはＩＰアドレスとしてもよい。
【００８０】
なお、後述のようにアクセサリ５５０の配電線１７７の先端の差込プラグ内に設けられるＲＦＩＤを、電力計１１７が読む場合、上記Ｓ８２２では、アクセサリ５５０の配電線１７７の先端の差込プラグ内のＲＦＩＤの値をＭＦＰ５００に通知する。また、ＭＦＰ５００がアクセサリ５５０の配電線１７７のＲＦＩＤを読む構成の場合、このステップは不要である。
【００８１】
次に、Ｓ８２３において、アクセサリ５５０は、電力遮断の準備の指示（図８ではシャットダウン指示と記載してある）の受信を待つ。例えば、アクセサリ５５０は、ＭＦＰ５００から電力遮断の準備の指示を示す信号またはコマンドの受信を待つ。ここでは、説明のため、ＭＦＰ５００から電力遮断の準備の指示を受信するとして説明したが、これに限定される必要はなく、電力制御サーバ１０１から電力遮断の準備の指示を受信しても構わない。アクセサリ５５０は、電力遮断の準備の指示を受信したと判定した場合（Ｓ８２３でＹｅｓの場合）、Ｓ８２４に処理を移行する。
【００８２】
次に、Ｓ８２４において、アクセサリ５５０は、アクセサリ５５０の電力遮断の準備（図８ではシャットダウン処理と記してある）を実行する。例えば、アクセサリ５５０は、アクセサリ５５０内の排紙が完了した後、電力遮断の準備を実行する。ここで、複数のアクセサリが接続されている場合、電力遮断の準備の指示を受けたら、アクセサリ内の排紙が完了した後、その紙が給紙されるアクセサリに電力遮断の準備の指示を出した後、自ら電力遮断を準備しても構わない。
【００８３】
次に、フローチャート８０１を用いて、ＭＦＰ５００の動作をステップごとに説明する。Ｓ８１１において、ＭＦＰ５００は、ＭＦＰ５００の差込プラグが挿されたコンセントを検出する。例えば、ＭＦＰ５００のコンセント検出部６０９で、電力計１１６のＲＦＩＤを読むことで、ＭＦＰ５００の差込プラグが挿されたコンセントのＩＤを検出する。
【００８４】
次に、Ｓ８１２において、ＭＦＰ５００は、アクセサリ５５０の差込プラグが挿されたコンセントのＩＤを受信する。例えば、ＭＦＰ５００は、アクセサリ５５０から通信線５２０経由でコンセントのＩＤを受信する。なお、ＭＦＰ５００は、ＭＦＰ５００のコンセント検出部６０９がアクセサリ５５０の配電線１７７のＲＦＩＤを直接読んでもよい。
【００８５】
次に、Ｓ８１３において、ＭＦＰ５００は、ＭＦＰ５００およびアクセサリ５５０の差込プラグが挿されたそれぞれのコンセントのＩＤを、通信線１２６経由で電力制御サーバ１０１に通知する。コンセントＩＤの詳細は図９の９０３で後述する。なお、後述のようにＭＦＰ５００およびアクセサリ５５０の差込プラグのＲＦＩＤを、電力計１１６、１１７が読む場合、Ｓ８１１、Ｓ８１２、Ｓ８１３は不要である。
【００８６】
次に、Ｓ８１４において、例えば、プリンタシステム１００ａの機器構成の情報を電力制御サーバ１０１に通知する。プリンタシステム１００ａの機器構成の情報は、プリンタシステム１００ａが動作するために通電が必要な機器を判別するための情報であり、ＭＦＰ５００、アクセサリ５５０の電力遮断の組み合わせ等の情報も含む。例えば、Ｓ８１４では、まずＭＦＰ５００のＩＰアドレスを送信する。次に、ＭＦＰ５００と一緒に電源制御される機器、例えば、アクセサリ５５０のＩＰアドレスを送信する。ここでは、説明のため、Ｓ８１４で、ＭＦＰ５００およびアクセサリ５５０のＩＰアドレスを送信するとして説明したが、これに限定する必要はなく、ＭＦＰ５００およびアクセサリ５５０を特定できる情報、例えば、ＭＡＣアドレスでも構わない。また、ここでは、説明のため、ＭＦＰ５００、アクセサリ５５０を一緒に電力遮断するものとして、以下説明するが、ＭＦＰ５００、アクセサリ５５０の電力遮断（電力遮断の準備の指示）に順序、時間差を指定する構成の場合には、上記プリンタシステム１００ａの機器構成の情報に、これらの情報を含めてもよい。
【００８７】
次に、Ｓ８１５において、ＭＦＰ５００は、電力遮断の準備（シャットダウン）の指示の受信を待つ。例えば、ＭＦＰ５００は、電力制御サーバ１０１から通信線１２６経由で通信される電力遮断の準備の指示を示す信号またはコマンドの受信を待つ。Ｓ８１５はＳ２１３と同様なので、詳細の説明を省略する。ＭＦＰ５００は、電力遮断の準備の指示を受信したと判定した場合（Ｓ８１５でＹｅｓの場合）、Ｓ８１６に処理を移行する。
【００８８】
次に、Ｓ８１６において、ＭＦＰ５００は、アクセサリ５５０に電力遮断の準備（シャットダウン）の指示を通知する。例えば、ＭＦＰ５００は、通信線５２０経由で、アクセサリ５５０に電力遮断の準備の指示を示す信号またはコマンドを送信する。なお、ＭＦＰ５００が電力遮断の準備を行ったら、アクセサリ５５０に電力供給を続けても、プリンタシステム１００ａは動作できない。そのため、ＭＦＰ５００は、ＭＦＰ５００自身への電力遮断の準備の指示を受けたら、アクセサリ５５０にも電力遮断の準備の指示を送る。
【００８９】
次に、Ｓ８１７において、ＭＦＰ５００は、アクセサリ５５０に電力遮断の準備の指示を出したことを通信線１２６経由で電力制御サーバ１０１に通知する。なお、ここで、ＭＦＰ５００は、ＭＦＰ５００やアクセサリ５５０の電力遮断の準備（シャットダウン処理）の完了時間を電力制御サーバ１０１に通知してもよい。
【００９０】
次に、Ｓ８１８において、ＭＦＰ５００は、ＭＦＰ５００を電力遮断の準備（シャットダウン処理）を実行する。例えば、ＭＦＰ５００の電力遮断を準備とは、メモリ６０３の内容を不揮発性メモリ（例えばハードディスク）に退避する処理である。さらに、ＭＦＰ５００の印刷を中断する、ＭＦＰ５００のプリンタ部５０４内の紙を排出する、プリンタ部５０４内の定着用ヒータを冷却するなどの処理をする。なお、電力遮断の準備は、公知のプリンタの一般的な構成や処理でよいので、詳細な説明を省略する。
【００９１】
次に、フローチャート８００を用いて、電力制御サーバ１０１の動作をステップごとに説明する。Ｓ８０１において、電力制御サーバ１０１は、ＭＦＰ５００、アクセサリ５５０が挿されたコンセントを検出する。ここでは、前記Ｓ８１３で送信される、ＭＦＰ５００、アクセサリ５５０のコンセントＩＤを受信する。なお、ＭＦＰ５００またはアクセサリ５５０が電力計１１６、１１７のＲＦＩＤを読んで、そのコンセントのＩＤを送信したものを、電力制御サーバ１０１が受信する構成に限定する必要はない。例えば、ＭＦＰ５００、アクセサリ５５０の配電線１７６、１７７のＲＦＩＤを電力計１１６、１１７が読み込んで電力制御サーバ１０１に送信することで、電力制御サーバ１０１がＭＦＰ５００、アクセサリ５５０の差込プラグが挿されたコンセントのＩＤを検出しても構わない。
【００９２】
次に、Ｓ８０２において、電力制御サーバ１０１は、プリンタシステム１００ａの機器構成の情報を、ＭＦＰ５００から受信する。なお、プリンタシステム１００ａの機器構成の情報は、プリンタシステム１００ａが動作するために通電が必要な機器を判別するための情報であり、ＭＦＰ５００、アクセサリ５５０の電力遮断の組み合わせ等の情報も含む。例えば、通電が必要な機器を判別するための情報とは、ＭＦＰ５００、アクセサリ５５０それぞれのＩＰアドレス、ＭＡＣアドレスなどの機器固有の情報として説明する。この受信した構成を基に、電力制御サーバ１０１は、ＭＦＰ５００、アクセサリ５５０、それぞれが接続された電力計のＩＰアドレス、ＭＡＣアドレスなどの機器固有の情報を管理する電源管理表（例えば図９に示すような）を作成する。この電源管理表の詳細について、別途後述する。
【００９３】
次に、Ｓ８０３において、電力制御サーバ１０１は、上述の電源管理表を元に、電力制御サーバ１０１、ＭＦＰ５００、アクセサリ５５０がそれぞれ接続される電源系統（本実施例では配電線１３０、１４０、１５０）のそれぞれの電力が逼迫しているかを判断する。Ｓ８０３は、図２のＳ２０２と同様なので、詳細説明を省略する。電力が逼迫していないと判断した場合（Ｓ８０３でＮｏの場合）、電力制御サーバ１０１は、Ｓ８０３の判断を繰り返す。一方、電力が逼迫していると判断した場合（Ｓ８０３でＹｅｓの場合）、電力制御サーバ１０１は、Ｓ８０４に処理を移行する。
【００９４】
Ｓ８０４において、電力制御サーバ１０１は、電力が逼迫している配電線に接続されているプリンタシステム１００ａに電力遮断の準備を指示する。例えば、配電線１５０の電力が逼迫している場合、後述の電源管理表を参照して、配電線１５０に接続されているＭＦＰ５００に電力遮断の準備を指示する。さらに、後述の電源管理表を参照して、ＭＦＰ５００とともにプリンタシステム１００ａを構成するアクセサリ５５０に電力遮断の準備を指示しても構わない。ここでは、説明のため、ＭＦＰ５００の電力遮断の準備の指示と、アクセサリ５５０の電力遮断の準備の指示が順番に行われるように説明したが、これに限定する必要はなく、ＭＦＰ５００とアクセサリ５５０が電力遮断を準備されればよい。例えば。ＭＦＰ５００とアクセサリ５５０の電力遮断の準備の指示を同時に行っても構わない。また、アクセサリ５５０の電力遮断の準備の指示、ＭＦＰ５００の電力遮断の準備の指示の順番で行っても構わない。また、ＭＦＰ５００、アクセサリ５５０のどちらかの電力遮断の準備の指示でも構わない。また、電力遮断の準備の指示の代わりに、供給電力を遮断する旨の通知を行ってもよい。
【００９５】
次に、Ｓ８０５において、電力制御サーバ１０１は、プリンタシステム１００ａの電力遮断の準備の完了を待つ。例えば、電力制御サーバ１０１は、上記Ｓ８０４でＭＦＰ５００に電力遮断の準備の指示をした場合、ＭＦＰ５００とアクセサリ５５０の電力遮断の準備を完了する時間等の通知をここで受信しても構わない。また、電力が逼迫している配電線に接続されている機器（ここではＭＦＰ５００、アクセサリ５５０）がシャットダウンしたかどうかの判断は、これらの機器の接続されている出力計と通信して該機器の消費電力を取得し、該消費電力が所定値（シャットダウン後の消費電力値）になったことで判断してもよい。なお、各機器のシャットダウン後の消費電力値は、予め電力制御サーバ１０１に登録されていてもよいし、上記Ｓ２０１で取得してもよい。また、上記Ｓ８０２で取得した機器構成の情報に、機器がシャットダウンを完了するまでにかかる時間等が含まれている場合には、該時間の経過により機器がシャットダウンしたと判断してもよい。なお、各機器がシャットダウンを完了するまでにかかる時間が予め電力制御サーバ１０１に登録されていてもよい。さらに、上記Ｓ８０４のシャットダウン指示後、ＭＦＰ５００から、ＭＦＰ５００やアクセサリ５５０の電力遮断の準備（シャットダウン処理）の完了時間を受信してもよい。
【００９６】
電力制御サーバ１０１は、まだ、電力が逼迫している配電線に接続されている装置システム１００の電力遮断の準備が完了していないと判断した場合（Ｓ８０５でＮｏの場合）、Ｓ８０５の判断を繰り返す。一方、電力制御サーバ１０１は、電力が逼迫している配電線に接続されている装置システム１００の電力遮断の準備が完了したと判断した場合（Ｓ８０５でＹｅｓの場合）、Ｓ８０６に処理を移行する。
【００９７】
次に、Ｓ８０６において、電力制御サーバ１０１は、上記Ｓ８０５で電力遮断の準備が完了したと判断した機器が接続された電力計に指示して、電力供給を遮断する（図８ではコンセントのブレーカーをＯＦＦと記してある）。電力供給を遮断する構成および処理は、Ｓ２０５と同様なので、詳細説明を省略する。
【００９８】
次に、図９を用いて、実施例２の電力制御システムの電源管理表について説明する。
図９は、図４に示したプリンタシステム１００ａ、コンピュータシステム１００ｂが接続される配電線、プリンタシステム１００ａ、コンピュータシステム１００ｂの通信先、プリンタシステム１００ａ、コンピュータシステム１００ｂを構成する機器で共に電源を遮断するものの関連性を示す電源管理表の一例を示す図である。
【００９９】
電源管理表は、電力制御サーバ１０１内のメモリ１２０３または記憶装置１２０４に記憶される。また、図９の電源管理表は、電力制御サーバ１０１内のＣＰＵ１２０１で実行する図８のＳ８０１またはＳ８０２で作成され、Ｓ８０３、Ｓ８０４、Ｓ８０５、Ｓ８０６で参照される。図８では説明のため、人間が認識し易い形式（文字列）で記載しているが、バイナリ値、英数字など、電力制御サーバ１０１による管理が容易なデータ形式でも構わない。
【０１００】
図９において、９０１は、ＭＦＰ５００、アクセサリ５５０などの機器名を示すデータ列である。９０１は、図３の３０１と同様なので、詳細説明を省略する。９０２は、それぞれの機器名３０１の機器が接続されている配電線を示すデータ列である。９０２は、図３の３０２と同様なので、詳細説明を省略する。
【０１０１】
９０３は、それぞれの機器名９０１の機器が接続されているコンセントおよび電力計を特定するためのコンセントＩＤを示すデータ列である。コンセントおよび電力計を特定するため、コンセントＩＤ９０３はコンセント毎に異なる情報を付加する。コンセントＩＤ９０３は、図８のＳ８０１で検出した値またはそれぞれの電力計が持つＲＦＩＤのＩＤを記憶しても構わない。ＭＦＰ５００、アクセサリ５５０の差込プラグが挿されたコンセントのコンセントＩＤをＲＦＩＤで検出する場合、ＭＦＰ５００、アクセサリ５５０の対応する行のコンセントＩＤ９０３に、ＭＦＰ５００、アクセサリ５５０から通知される情報を記憶する。または、コンセントＩＤ９０３は、図３の３０３と同様でも構わない。この場合、詳細説明を省略する。
【０１０２】
９０４は、機器名９０１の機器のそれぞれが接続された電力計の通信先を示すデータ列である。９０４は、図３の３０４と同様なので、詳細説明を省略する。９０５は、機器名９０１の機器それぞれの通信先を示すデータ列である。９０５は、図３の３０５と同様なので、詳細説明を省略する。９０６は、機器名９０１の機器それぞれと共に装置システムを構成する機器を示すデータ列である。９０６は、図３の３０６と同様なので、詳細説明を省略する。
【０１０３】
９１０は、プリンタシステム１００ａに関する情報を記載したデータ行である。９１０内の上の行が、ＭＦＰ５００に関する情報を記載したデータ行である。９１０内の下の行が、アクセサリ５５０に関する情報を記載したデータ行である。９１１は、コンピュータシステム１００ｂに関する情報を記載したデータ行である。９１１内の上の行が、ＰＣ１０４に関する情報を記載したデータ行である。９１１内の下の行が、ディスプレイ１０５に関する情報を記載したデータ行である。
【０１０４】
次に、図１０および図１１を用いて、電力計について説明する。
図１０は、図１、図４に示した電力計１１１、１１２、１１３、１１４、１１５、１１６、１１７の構成の一例を示す図である。
図１０において、１０００は電力計である。１０５０は、電力計１０００に接続する配電線の先端に設けられた差込プラグである。ＭＦＰ５００やアクセサリ５５０等の機器は、差込プラグ１０５０を介して、電力計１０００から電力供給される。
【０１０５】
以下、電力計１０００の内部構成を説明する。１００１はコンセント差込口であり、差込プラグ１０５０が挿され、差込プラグ１０５０に電力供給する。１００２は計測部であり、コンセント差込口１００１の電圧及び電流、または、電力、または、電力量を測定し、計測結果を制御部１０１０に通知する。
【０１０６】
１００３はスイッチであり、制御部１０１０の指示で、コンセント差込口１００１への電力供給を接続または遮断を切り替える。１００４は配電線である。配電線１００４は、図１、図４の配電線１３１、１４３、１５２、１３４、１３５、１４７、１５６等に対応する。
【０１０７】
１０１０は、電力計１０００の制御部であり、計測部１００２の計測結果を受信、および、スイッチ１００３の切り替え、外部Ｉ／Ｆ１０１１経由で電力制御サーバ１０１と通信する。
【０１０８】
１０１１は、外部Ｉ／Ｆであり、Ｅｔｈｅｒｎｅｔ（登録商標）などの通信線と接続可能である。ここで、外部Ｉ／Ｆ１０１１は、Ｅｔｈｅｒｎｅｔ（登録商標）に限定するものではなく、ＲＳ−２３２、ＰＬＣ（Power Line Communication）などの有線通信でもよい。さらに、外部Ｉ／Ｆ１０１１は、無線ＬＡＮ、Ｂｌｕｅｔｏｏｔｈ（登録商標）、Ｚｉｇｂｅｅ（登録商標）、ＲＦＩＤなどの無線通信でも構わない。１０１２は、コンセントＩＤを特定するためのＲＦＩＤなどのＩＣタグである。以上が、電力計１０００の内部構成である。
【０１０９】
以下、差込プラグ１０５０の内部構成を説明する。１０５１は、コンセント差込部分であり、これをコンセント差込口１００１に挿し込み電力供給される。１０５２は、配電線であり、図１、図４の配電線１７１、１７２、１７３、１７４、１７５、１７６、１７７に対応する。
【０１１０】
１０５３は、ＲＦＩＤなどＩＣタグの読み取り部であり、電力計１０００のＩＣタグ１０１２に記憶されたコンセントＩＤを読み取る。１０５４は、コンセントＩＤ通信線であり、図５の通信線５１０、５６０に対応し、コンセントＩＤをＩＣタグの読み取り部１０５３が読むために、図６のコンセント検出部６０９または図７のコンセント検出部７０９と通信する。以上が差込プラグ１０５０の内部構成である。
【０１１１】
次に図１１を用いて、電力計の別の形態について説明する。
図１１は、図１、図４に示した電力計１１１、１１２、１１３、１１４、１１５、１１６、１１７の別の構成の一例を示す図である。なお、図１１では、図１０との相違点のみ説明する。
【０１１２】
図１１において、１１０１は、コンセントＩＤを特定するためのＲＦＩＤなどのＩＣタグである。１１０２は、ＲＦＩＤなどＩＣタグの読み取り部であり、差込プラグ１０５０内のＩＣタグ１１０１に記憶されたＩＤを読み取る。ＩＣタグ読み取り部１１０２は、制御部１０１０に、読み取ったＩＤを通知する。制御部１０１０は、外部Ｉ／Ｆ１０１１経由で電力制御サーバ１０１に、このＩＤを通知する。
【０１１３】
なお、上記各実施例では、特定の電源系統の電力が逼迫した場合に、該電力が逼迫した電源系統に接続されている負荷及び該負荷と連携して動作する他の負荷への電力供給をそれぞれ遮断する構成について説明した。しかし、機器システムに供給される少なくとも１の電力を遮断すべき事態が発生した場合であればどのような場合でもよい。例えば、一部の負荷に対するシャットダウン指示を受け付けた場合、該負荷及び該負荷と連携して動作する他の負荷から構成されるシステムへの各供給電力をそれぞれ遮断するようにしてもよい。
【０１１４】
以上示したように、図４の構成のシステムにおいて、図８のフローチャートに示した処理により電源を管理し、その際、図９の電源管理表を用いることで、複数のコンセントを持つ装置システム１００ａの電力供給を全て遮断することができる。その結果、装置システム１００ａが動作しないにも関わらず、装置システム１００ａを構成する電力負荷（ＭＦＰ５００、アクセサリ５５０）に通電し続けることが無く、消費電力を無駄に消費することのない電力制御システムとできる。ここで、図１０または図１１の電力計を用いることで、コンセントと機器を対応付けが自動化でき、電力制御システムの構築作業が容易となる。
【０１１５】
なお、プリンタシステム１００ａでは、複数のアクセサリを接続する場合があるが、本発明の技術を応用して、複数のアクセサリに対して、アクセサリ５５０と同様の制御を行うものとする。
【０１１６】
また、ＭＦＰ５００のプリントジョブを生成するプリントサーバが接続されたプリンタシステムにおいても、プリントサーバがＭＦＰ５００と同様の処理を行えばよく、プリントサーバを持ったプリンタシステムに対しても、本発明を適応可能である。
【０１１７】
さらに、図８では、ＭＦＰ５００およびアクセサリ５５０を例に説明したが、ＭＦＰ５００をＰＣ１０４に、アクセサリ５５０をディスプレイ１０５などのＰＣ１０４の周辺機器に置き換えて、それぞれ本実施例の制御をしても構わない。つまり、プリンタシステム１００ａだけでなく、コンピュータシステム１００ｂなど、複数の電源を持つシステムに本発明を適応可能である。
【０１１８】
また、上記各実施例では、各装置構成システムを構成する機器から送信される各装置システムの構成情報を、電力制御サーバ１０１が受信する構成を示した。しかし、電力制御サーバ１０１が、各装置構成システムを構成する機器に要求して、各装置システムの構成情報を取得するようにしてもよい。
【０１１９】
以上示したように、複数の機器から構成されるシステムにおいて、いずれかの機器へ供給する電力を遮断してしまうと、システムが動作できない場合、システム内の他の機器へ供給する電力も遮断して、無駄な消費電力を少なくすることができる。よって、システムとして動作できないにも関わらず消費されてしまう無駄な電力を削減することができる。即ち、連携動作する機器群の一部の機器に電力供給され続けることによる無駄な消費電力を削減することができる。
【０１２０】
本発明は、電力量等を測定し、測定した電力量に応じて、電力線の一部を遮断する電力制御システムである。本発明は、例えば、プリンタ、デジタル複写機、デジタル複合機、ファクシミリ装置等の印刷装置、及び印刷装置とは別の電力線に接続されたペーパーフィニッシャー等のアクセサリ又は印刷画像データを生成するプリントサーバ等を含む印刷システムに適用可能である。
【０１２１】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用してもよいし、また、一つの機器からなる装置に適用してもよい。
また、上記各実施例を組み合わせた構成も全て本発明に含まれるものである。
【０１２２】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１２３】
１００    装置システム
１００ａ    プリンタシステム
１００ｂ    コンピュータシステム
１０１    電力制御サーバ
１０２、１０３    電力負荷
１１１、１１２、１１３、１１４、１１５、１１６、１１７    電力計
５００    ＭＦＰ
５５０    アクセサリ
【図１】
2015119540.tif 000003
【図２】
2015119540.tif 000004
【図３】
2015119540.tif 000005
【図４】
2015119540.tif 000006
【図５】
2015119540.tif 000007
【図６】
2015119540.tif 000008
【図７】
2015119540.tif 000009
【図８】
2015119540.tif 000010
【図９】
2015119540.tif 000011
【図１０】
2015119540.tif 000012
【図１１】
2015119540.tif 000013
【図１２】
2015119540.tif 000014